(57)【要約】【課題】第２読取部およびシートの動きが安定した状態で、第１読取部によるシートの画像の読み取りを行うことができる、画像読取装置を提供する。【解決手段】移動可能に設けられた第２読取部９４が第１読取部９３よりも前側に位置するので、シートＳが第１読取部９３に差し掛かるまでに、第２読取部９４およびシートＳの動きを安定させることができる。そのため、第２読取部９４およびシートＳの動きが安定した状態で、第１読取部９３によるシートＳの画像の読み取りを行うことができる。その結果、第１読取部９３により、シートＳの画像を良好に読み取ることができる。【選択図】図４
2014195206.tif 000002
【特許請求の範囲】
【請求項１】
シートを搬送するように構成された搬送部と、
前記搬送部によって搬送される前記シートの画像を読み取るように構成された第１読取部と、
前記搬送部によって搬送される前記シートが通過する搬送路を挟んで前記第１読取部と反対側に位置して、前記シートの画像を読み取るように構成され、前記第１読取部に対し離間および接近する方向に移動可能な第２読取部と、を備え、
前記第２読取部は、前記第１読取部よりも前記シートの搬送方向における上流側に位置する、画像読取装置。
【請求項２】
前記第２読取部は、前記第１読取部に備えられる第１読取面と直交する方向において前記第１読取部と重なる、請求項１に記載の画像形成装置。
【請求項３】
前記第２読取部は、前記第１読取部よりも上側に位置する、請求項２に記載の画像読取装置。
【請求項４】
前記第２読取部は、前記搬送部によって搬送されるシートに対面するように構成された第２読取面を備え、
前記第２読取面は、前記搬送方向における上流側の端部が下流側の端部よりも上側に位置する、請求項３に記載の画像読取装置。
【請求項５】
前記第２読取部は、前記第２読取面にシートが当接することにより、前記第１読取部に対し離間する方向に移動するように構成されている、請求項４に記載の画像読取装置。
【請求項６】
前記第１読取面と前記第２読取面とは、互いに平行である、請求項２ないし５のいずれか一項に記載の画像読取装置。
【請求項７】
前記第２読取部は、前記搬送方向における上流側の端部に、前記上流側ほど前記第１読取部に対し離間するように傾斜した傾斜面を備える、請求項１ないし６のいずれか一項に記載の画像読取装置。
【請求項８】
前記搬送路を挟んで前記第２読取部と反対側で前記第２読取部と対向し、かつ、前記第１読取部よりも前記搬送方向における上流側に位置し、前記搬送方向に延びる延部を備える、請求項１ないし７のいずれか一項に記載の画像読取装置。
【請求項９】
前記搬送部を保持する保持部を備え、
前記延部は、前記保持部の前記搬送方向下流側端部から前記第１読取部まで延設されている、請求項８に記載の画像読取装置。
【請求項１０】
前記第２読取部を前記第１読取部側に付勢するように構成された付勢部を備える、請求項１ないし９のいずれか一項に記載の画像読取装置。
【請求項１１】
前記第１読取部による画像の読取位置は、前記第１読取部において、前記搬送方向の下流側に片寄っており、
前記第２読取部による画像の読取位置は、前記第２読取部において、前記搬送方向の下流側に片寄っている、請求項１ないし１０のいずれか一項に記載の画像読取装置。
【請求項１２】
前記第１読取部および前記第２読取部は、同じ構成の密着型イメージセンサユニットである、請求項１１に記載の画像読取装置。
【発明の詳細な説明】
【技術分野】
【０００１】
本発明は、画像読取装置に関する。
【背景技術】
【０００２】
特許文献１に開示されている構成では、第１読取部および第２読取部が設けられている。第１読取部は、第１読取面を搬送路に向けて、搬送路の下側に配置されている。第２読取部は、第２読取面を搬送路に向けて、搬送路の上側に配置されている。また、第１読取部は、第２読取部に対して、搬送路におけるシートの搬送方向の上流側にずれて配置されている。そのため、搬送路を搬送されるシートは、第１読取面上および第２読取面上をこの順に通過する。シートの下面が第１読取面上を通過するときに、シートの下面の画像が第１読取部に読み取られる。その後、シートの上面が第２読取面上を通過するときに、シートの上面の画像が第２読取部に読み取られる。
【０００３】
また、第２読取部は、上下方向に移動可能に設けられている。そして、第２読取部は、圧縮コイルばねにより、搬送路側に付勢されている。カードなどの厚手のシートの画像が読み取られるときには、そのシートが第２読取部を圧縮コイルばねの付勢力に抗して押し上げる。これにより、厚手のシートが第２読取面上を通過することができ、そのシートに第２読取面を密着させることができる。
【先行技術文献】
【特許文献】
【０００４】
【特許文献１】特開２００９−３０３０８５号公報
【発明の概要】
【発明が解決しようとする課題】
【０００５】
しかしながら、第２読取部が厚手のシートの先端部に押し上げられ、その反力でシートが第２読取部に押し返されるので、厚手のシートが第２読取面上に差し掛かった直後は、第２読取部およびシートの動きが不安定になる。そのため、第１読取部が第２読取部に対してシートの搬送方向の上流側にずれて配置された構成では、第２読取部およびシートの動きが不安定な状態で、第１読取部によるシートの画像の読み取りが行われることがある。
【０００６】
本発明の目的は、第２読取部およびシートの動きが安定した状態で、第１読取部によるシートの画像の読み取りを行うことができる、画像読取装置を提供することである。
【課題を解決するための手段】
【０００７】
前記の目的を達成するため、本発明に係る画像読取装置は、シートを搬送するように構成された搬送部と、前記搬送部によって搬送される前記シートの画像を読み取るように構成された第１読取部と、前記搬送部によって搬送される前記シートが通過する搬送路を挟んで前記第１読取部と反対側に位置して、前記シートの画像を読み取るように構成され、前記第１読取部に対し離間および接近する方向に移動可能な第２読取部と、を備え、前記第２読取部は、前記第１読取部よりも前記シートの搬送方向における上流側に位置する。
【０００８】
この構成によれば、移動可能に設けられた第２読取部が第１読取部よりもシートの搬送方向の上流側に位置するので、シートが第１読取部に差し掛かるまでに、第２読取部およびシートの動きを安定させることができる。そのため、第２読取部およびシートの動きが安定した状態で、第１読取部によるシートの画像の読み取りを行うことができる。その結果、第１読取部により、シートの画像を良好に読み取ることができる。
【発明の効果】
【０００９】
本発明によれば、第２読取部およびシートの動きが安定した状態で、第１読取部によるシートの画像の読み取りを行うことができる。その結果、第１読取部により、シートの画像を良好に読み取ることができる。
【図面の簡単な説明】
【００１０】
【図１】本発明の一実施形態に係る画像読取装置１の左上前側からの斜視図である。
【図２】画像読取装置１の平面図である。
【図３】画像読取装置１の前面図である。
【図４】画像読取装置１の断面図である。
【図５】第１読取部９３および第２読取部９４の断面図である。
【図６】第１ホルダ６１、第２ホルダ６２、第１フレーム１５１および第２フレーム１５２の前面図である。
【図７】第１フレーム１５１の右側面図である。
【図８】第２フレーム１５２の左側面図である。
【図９】変形例に係る画像読取装置１の断面図である。
【発明を実施するための形態】
【００１１】
以下では、本発明の実施の形態について、添付図面を参照しつつ詳細に説明する。
【００１２】
＜筐体＞
【００１３】
画像読取装置１は、図１、図２、図３および図４に示されるように、筐体２を備えている。筐体２は、図１、図３および図４に示されるように、ボトムカバー３およびトップカバー４に分割されている。
【００１４】
なお、以下の説明では、ボトムカバー３に対するトップカバー４側を上側とし、平面視における画像読取装置１の中央に対して後述する導入口４１が形成されている側を前側として、上下、左右および前後の各方向を規定する。そして、図１以降の各図では、矢印で方向を表示する。
【００１５】
トップカバー４は、図１、図３および図４に示されるように、ボトムカバー３に上側から重なる。トップカバー４は、図２に示されるように、左面部１１、右面部１２、上面部１３、後面部１４、前面部１５および湾曲部１６を備えている。
【００１６】
左面部１１は、上下方向および前後方向に延びている。左面部１１の前上端部は、図１、図２および図３に示されるように、切り欠かれている。これにより、左面部１１は、その前上端部に、第１端縁２１および第２端縁２２を有している。第１端縁２１は、上下方向に延びている。第２端縁２２は、第１端縁２１の下端から前側に延びている。言い換えれば、左面部１１は、その前上端部に、上下方向に延びる第１端縁２１と第１端縁２１の下端から前側に延びる第２端縁２２とによって形成される切欠２３を有している。
【００１７】
右面部１２は、左面部１１に対して左右方向に間隔を空けて配置されている。右面部１２は、左面部１１と平行をなして、上下方向および前後方向に延びている。
【００１８】
上面部１３は、左面部１１の上端と右面部１２の上端との間に架設されている。上面部１３は、左右方向および前後方向に延びている。上面部１３は、第３端縁２４を前端に有している。第３端縁２４は、左面部１１の第１端縁２１の上端から右側に延びている。第３端縁２４の長さは、左面部１１と右面部１２との間の左右方向の間隔よりも短い。
【００１９】
後面部１４は、図２に示されるように、左面部１１の後端と右面部１２の後端との間に架設されている。後面部１４は、上下方向および左右方向に延びている。後面部１４の上端は、図４に示されるように、上面部１３の後端に接続されている。
【００２０】
前面部１５は、図１および図３に示されるように、左面部１１の前端と右面部１２の前端との間に架設されている。前面部１５は、第４端縁２５を上端に有している。第４端縁２５は、左面部１１の第２端縁２２の前端から右側に延びている。第４端縁２５の長さは、上面部１３の第３端縁２４の長さと同じである。
【００２１】
湾曲部１６は、図１、図２および図３に示されるように、上面部１３の右前端部と前面部１５の右上端部との間に架設されている。湾曲部１６の右端は、右面部１２の前上端部に接続されている。湾曲部１６は、第５端縁２６を左端に有している。第５端縁２６は、第３端縁２４の右端から前側に延び、途中で湾曲して、下側に延び、第４端縁２５の右端に接続されている。
【００２２】
また、トップカバー４は、フロントフレーム３１を保持している。
【００２３】
フロントフレーム３１は、第１壁部３２、第２壁部３３、第３壁部３４および第４壁部３６を有している。
【００２４】
第１壁部３２は、図１および図３に示されるように、上下方向および左右方向に延びている。第１壁部３２の左端は、左面部１１の第１端縁２１に接続されている。第１壁部３２の上端は、上面部１３の第３端縁２４に接続されている。
【００２５】
第２壁部３３は、図１および図２に示されるように、左右方向および前後方向に延びている。第２壁部３３の左端は、左面部１１の第２端縁２２に接続されている。第２壁部３３の前端は、前面部１５の第４端縁２５に接続されている。第２壁部３３の後端は、図４に示されるように、第１壁部３２の後側に位置している。
【００２６】
第３壁部３４は、図１および図４に示されるように、上下方向および前後方向に延びている。第３壁部３４は、第５端縁２６に接続されている。第３壁部３４の後端は、第１壁部３２に接続されている。第３壁部３４の下端は、第２壁部３３に接続されている。
【００２７】
第１壁部３２の下端部は、図１および図３に示されるように、左端部を一部残して、それ以外の部分が開口されている。これにより、Ｌ字形状の第１壁部３２と第２壁部３３と第３壁部３４とに囲まれた箇所に導入口４１が形成される。
【００２８】
第４壁部３６は、図４に示されるように、第１壁部３２の下端部における開口が形成されている部分から後下側に延びている。第４壁部３６の後下端は、第２壁部３３の後端の上側に間隔を空けて位置している。また、第３壁部３４の後下端部は、第４壁部３６の右端と第２壁部３３の右端との間に延び、その上端縁および下端縁がそれぞれ第４壁部３６および第２壁部３３に接続されている。
【００２９】
また、筐体２は、図４に示されるように、ボトムカバー３とトップカバー４の後面部１４との間に、排出口４２を有している。排出口４２は、導入口４１と上下方向および左右方向においてほぼ同じ位置に形成されている。
【００３０】
＜内部機構＞
【００３１】
画像読取装置１は、第１ホルダ６１および第２ホルダ６２を備えている。
【００３２】
第１ホルダ６１は、第１下保持部７１、第２下保持部７２および第３下保持部７３を備えている。第１下保持部７１、第２下保持部７２および第３下保持部７３は、前側からこの順に、前後方向に並んでいる。
【００３３】
保持部の一例としての第１下保持部７１は、前シュート７４を備えている。前シュート７４は、左右方向および前後方向に延びている。前シュート７４の上面７５は、第２壁部３３の上面３５と同一平面上に位置している。
【００３４】
第２下保持部７２は、前壁部７６、底壁部７７、後壁部７８および延部９０を備えている。前壁部７６は、前シュート７４の後端から下側に延びている。底壁部７７は、前壁部７６の下端から後側に延びている。後壁部７８は、底壁部７７の後端から上側に延びている。延部９０は、第１下保持部７１の後上端部から後側に延設されている。延部９０の上面９２は、前シュート７４の上面７５と同一平面上に位置している。
【００３５】
第３下保持部７３は、後シュート７９を備えている。後シュート７９は、第２下保持部７２の後壁部７８の上端から後側に延びている。後シュート７９の上面８０の後端部は、排出口４２の下端よりも上側に位置している。
【００３６】
第２ホルダ６２は、第２壁部３３の上面３５を含む平面に対して上側に配置されている。第２ホルダ６２は、第１上保持部８１、第２上保持部８２および第３上保持部８３を備えている。第１上保持部８１、第２上保持部８２および第３上保持部８３は、前側からこの順に、前後方向に並んでいる。
【００３７】
第２上保持部８２は、前壁部８４、上壁部８５および後壁部８６を備えている。前壁部８４は、前後方向において、第１ホルダ６１の前壁部７６と同じ位置に配置されている。前壁部８４は、上下方向および左右方向に延びている。上壁部８５は、前壁部８４の上端から後側に延びている。後壁部８６は、上壁部８５から下側に延び、前壁部８４と前後方向に間隔を空けて平行をなしている。後壁部８６は、前後方向において、第１ホルダ６１の後壁部７８よりも前側に配置されている。
【００３８】
そして、画像読取装置１は、搬送ローラ対９１、第１読取部９３、第２読取部９４および排出ローラ対９５を備えている。
【００３９】
搬送ローラ対９１は、４個の搬送駆動ローラ９６および４個の搬送従動ローラ９７を含む。
【００４０】
４個の搬送駆動ローラ９６は、駆動軸１０１に取り付けられている。駆動軸１０１は、左右方向に延びている。駆動軸１０１は、第１ホルダ６１の第１下保持部７１に回転可能に保持されている。各搬送駆動ローラ９６の周面の一部は、前シュート７４の上面７５から上側に突出している。
【００４１】
４個の搬送従動ローラ９７は、従動軸１２１に取り付けられている。従動軸１２１は、左右方向に延びている。従動軸１２１は、第２ホルダ６２の第１上保持部８１に回転可能に保持されている。各搬送従動ローラ９７は、搬送駆動ローラ９６の上側に配置されている。各搬送従動ローラ９７の周面の一部は、その下側の搬送駆動ローラ９６の周面に当接している。
【００４２】
第１読取部９３は、第１ホルダ６１の第２下保持部７２に配置されている。具体的には、第１読取部９３は、第１ホルダ６１の底壁部７７上に配置され、前壁部７６および後壁部７８に前後から挟まれている。第１読取部９３は、延部９０の後端部の後側に隣接して配置されている。すなわち、延部９０は、第１下保持部７１の後上端部から第１読取部９３まで延設されている。第１読取部９３は、ＬＥＤ光源、レンズおよびイメージセンサ１０４などを内部に備える密着型イメージセンサユニットである。また、第１読取部９３は、その上面に、透明板１０５を備えている。透明板１０５の上面である第１読取面１０６は、前シュート７４の上面７５と同じ位置または上面７５よりも下側に位置している。さらに、第１読取部９３は、透明板１０５の前側に、突出部１０７を備えている。突出部１０７は、前側ほど下側に位置するように傾斜する傾斜面１０８を上面に有している。
【００４３】
また、第１読取部９３による画像の読取位置ＳＰ１は、図５に示されるように、第１読取部９３において、後側に片寄っている。具体的に、読取位置ＳＰ１は、第１読取部９３の前後方向の中央Ｃ１よりも後側に位置している。
【００４４】
第２読取部９４は、第２ホルダ６２の前壁部８４と後壁部８６との間に配置されている。すなわち、第２読取部９４は、第１読取部９３よりも上側に位置する。また、第２読取部９４の前端部は、第１読取部９３の前端部よりも前側に位置している。さらに、第２読取部９４の後端部は、第１読取部９３と上下方向において重なっている。第２読取部９４は、第１読取部９３と同じ構成の密着型イメージセンサユニットであり、第１読取部９３と前後方向に沿った直線まわりに天地を反転して配置されている。具体的には、第２読取部９４は、ＬＥＤ光源、レンズおよびイメージセンサ１２５などを内部に備える密着型イメージセンサユニットである。また、第２読取部９４は、その下面に、透明板１２６を備えている。第２読取部９４は、後述する搬送路１４１を挟んで延部９０の上側で、その前端部が延部９０と上下方向に対向している。
【００４５】
第２読取部９４は、透明板１２６の下面である第２読取面１２７が前側ほど上側に位置するように、その全体が傾斜している。さらに、第２読取部９４は、透明板１２６の前側に、突出部１２８を備えている。突出部１２８は、前側ほど上側に位置するように傾斜する傾斜面１２９を下面に有している。また、第２読取部９４は、第２付勢部１３０により、第１読取部９３側に付勢されている。第２付勢部１３０は、付勢部の一例であり、圧縮コイルばねからなる。第２付勢部１３０は、第２ホルダ６２の上壁部８５と第２読取部９４との間に介在されている。
【００４６】
また、第２読取部９４による画像の読取位置ＳＰ２は、図５に示されるように、第２読取部９４において、後側に片寄っている。具体的に、読取位置ＳＰ２は、第２読取部９４の前後方向の中央Ｃ２よりも後側に位置し、第１読取部９３の前後方向の中央Ｃ１よりも前側に位置している。
【００４７】
排出ローラ対９５は、４個の排出駆動ローラ９８および４個の排出従動ローラ９９を含む。
【００４８】
４個の排出駆動ローラ９８は、駆動軸１０９に取り付けられている。駆動軸１０９は、左右方向に延びている。駆動軸１０９は、第１ホルダ６１の第３下保持部７３に回転可能に保持されている。各排出駆動ローラ９８の周面の一部は、後シュート７９の上面８０から上側に突出している。
【００４９】
４個の排出従動ローラ９９は、従動軸１３１に取り付けられている。従動軸１３１は、左右方向に延びている。従動軸１３１は、第２ホルダ６２の第３上保持部８３に回転可能に保持されている。各排出従動ローラ９９は、排出駆動ローラ９８の上側に配置されている。各排出従動ローラ９９の周面の一部は、その下側の排出駆動ローラ９８の周面に当接している。
【００５０】
また、画像読取装置１は、センサ５１を備えている。
【００５１】
センサ５１は、たとえば、マイクロスイッチからなる。センサ５１の本体は、第２壁部３３の下方に配置されている。センサ５１のアクチュエータ５２は、第２壁部３３を上下方向に貫通し、その先端が第２壁部３３の上側に位置している。アクチュエータ５２は、図３に示されるように、左右方向において、最も右側に位置している搬送従動ローラ９７と第３壁部３４との間に位置している。
【００５２】
シートＳが導入口４１に差し込まれると、シートＳの先端がアクチュエータ５２を搬送方向の下流側に押圧し、アクチュエータ５２が傾動する。アクチュエータ５２が傾動すると、センサ５１の本体内に設けられた接点が閉じる。これにより、シートＳが導入口４１に差し込まれたことが検知される。
【００５３】
＜シートの画像の読み取り＞
【００５４】
筐体２内において、第１ホルダ６１と第２ホルダ６２との間は、シートＳが搬送される搬送路１４１である。
【００５５】
また、導入口４１に挿入されるシートＳが載置される第２壁部３３が左面部１１まで延びているので、フロントフレーム３１の第３壁部３４は、左側に露出している。これにより、ユーザは、第３壁部３４がシートＳの位置合わせの基準であることを容易に認識する。
【００５６】
シートＳの画像の読み取りに際しては、ユーザにより、１枚のシートＳが第２壁部３３の上面３５上から導入口４１に差し込まれる。このとき、シートＳの右端縁が第３壁部３４に押し当てられる。
【００５７】
シートＳが導入口４１に差し込まれると、センサ５１により、シートＳが検知される。センサ５１によるシートＳの検知に応答して、搬送駆動ローラ９６および排出駆動ローラ９８が左側から見て反時計回りに回転される。搬送駆動ローラ９６および排出駆動ローラ９８の回転に従動して、搬送従動ローラ９７および排出従動ローラ９９が左側から見て時計回りに回転する。
【００５８】
シートＳが後側にさらに移動されて、シートＳの先端部が搬送駆動ローラ９６の周面と搬送従動ローラ９７の周面との間に到達すると、搬送駆動ローラ９６および搬送従動ローラ９７からシートＳに搬送力が付与される。この搬送力により、シートＳは、後側に搬送されて、搬送駆動ローラ９６および搬送従動ローラ９７の間を通過する。
【００５９】
その後、シートＳは、延部９０の上面９２に沿って後側に移動する。そして、シートＳの先端縁が第２読取部９４の透明板１２６の下面である第２読取面１２７に当接する。第２読取面１２７に当接したシートＳの先端縁は、第２読取面１２７上を摺動する。このとき、シートＳの厚みによっては、シートＳから第２読取面１２７に力が付与され、第２読取部９４が第２付勢部１３０の付勢力に抗して、第２読取面１２７と直交する方向に移動する。
【００６０】
その後、シートＳは、その上面が第２読取面１２７に密着しつつ、第２読取面１２７上を後側に移動する。このとき、第２読取面１２７上のシートＳに、第２読取部９４のＬＥＤ光源から光が照射される。シートＳでの反射光がイメージセンサ１２５に受けられることにより、シートＳの上面に描かれている画像が読み取られる。
【００６１】
また、シートＳの先端縁は、第２読取面１２７と第１読取部９３の透明板１０５の上面である第１読取面１０６との間に進入する。そして、シートＳは、第１読取面１０６上を通過する。このとき、第１読取面１０６上のシートＳに、第１読取部９３のＬＥＤ光源から光が照射される。シートＳでの反射光がイメージセンサ１０４に受けられることにより、シートＳの下面に描かれている画像が読み取られる。
【００６２】
シートＳの先端部が排出駆動ローラ９８の周面と排出従動ローラ９９の周面との間に到達すると、排出駆動ローラ９８および排出従動ローラ９９からシートＳに搬送力が付与される。この搬送力により、シートＳは、後側に搬送されて、排出口４２を通して排出される。
【００６３】
＜係合構造＞
【００６４】
画像読取装置１は、図６に示されるように、第１フレーム１５１および第２フレーム１５２を備えている。第１ホルダ６１および第２ホルダ６２は、第１フレーム１５１および第２フレーム１５２により、第１フレーム１５１と第２フレーム１５２との間で挟持されている。
【００６５】
第１フレーム１５１は、第１ホルダ６１および第２ホルダ６２の左側に配置されている。第１フレーム１５１は、図７に示されるように、第１突出部１６１および第２突出部１６２を備えている。
【００６６】
第１突出部１６１は、第１フレーム１５１の右面１６４における前後方向の中央よりも後側かつ上下方向の中央よりも下側の位置に形成されている。第１突出部１６１は、右面１６４から突出し、上下方向に延びている。第１突出部１６１の上部には、第１係合部１６５が形成されている。第１係合部１６５は、第１突出部１６１の先端面から左側に凹む穴形状をなしている。第１係合部１６５は、前後方向および上下方向にほぼ同じ寸法を有している。また、第１突出部１６１には、第１係合部１６５の下側に間隔を空けて、第１突出部１６１の先端面から左側に凹む凹部１６７が形成されている。凹部１６７の前後方向の寸法は、第１係合部１６５の前後方向の寸法と同じである。また、凹部１６７の上下方向の寸法は、その前後方向の寸法よりも大きい。
【００６７】
第２突出部１６２は、第１フレーム１５１の右面１６４における前後方向の略中央かつ上下方向の中央よりも上側の位置に形成されている。第２突出部１６２は、右面１６４から突出し、上側ほど後側に位置するように、上下方向に対して傾斜して延びている。第２突出部１６２には、第２係合部１６８が形成されている。第２係合部１６８は、第２突出部１６２の先端面から左側に凹み、上方に開放された溝形状をなしている。
【００６８】
第２フレーム１５２は、第１ホルダ６１および第２ホルダ６２の右側に配置されている。第２フレーム１５２は、図８に示されるように、第３突出部１８１および第４突出部１８２を備えている。
【００６９】
第３突出部１８１は、第１フレーム１５１の第１突出部１６１と上下方向および前後方向において同じ位置に形成されている。第３突出部１８１は、第２フレーム１５２の左面１８４から突出し、上下方向に延びている。第３突出部１８１の上部には、第３係合部１８５が形成されている。第３係合部１８５は、第３突出部１８１の先端面から右側に凹む穴形状をなしている。第３係合部１８５は、前後方向および上下方向にほぼ同じ寸法を有している。また、第３突出部１８１には、第３係合部１８５の下側に間隔を空けて、第３突出部１８１の先端面から右側に凹む凹部１８７が形成されている。凹部１８７の前後方向の寸法は、第３係合部１８５の前後方向の寸法と同じである。また、凹部１８７の上下方向の寸法は、その前後方向の寸法よりも大きい。
【００７０】
第４突出部１８２は、第１フレーム１５１の第２突出部１６２と上下方向および前後方向において同じ位置に形成されている。第４突出部１８２は、左面１８４から突出し、上下方向に対して第２突出部１６２と同じ傾斜角度で傾斜して延びている。第４突出部１８２には、第４係合部１８８が形成されている。第４係合部１８８は、第２突出部１６１の先端面から右側に凹み、上方に開放された溝形状をなしている。
【００７１】
一方、第１読取部９３は、その左端部に、左側に突出する第１突起２０１を備えている。
【００７２】
第１突起２０１は、図７に示されるように、第１読取部９３の左側面の上端部における前後方向のほぼ中央に形成されている。第１突起２０１は、第１フレーム１５１の第１係合部１６５の前後方向の寸法とほぼ同じ直径を有している。また、第１読取部９３の左側面には、第１突起２０１に対して下側に間隔を空けた位置に、突起２０３が左側に突出して設けられている。突起２０３は、第１突起２０１と同じ直径を有している。
【００７３】
また、第１読取部９３は、その右端部に、右側に突出する第３突起２０２を備えている。
【００７４】
第３突起２０２は、図８に示されるように、第１読取部９３の右側面において、第１突起２０１と前後方向および上下方向に同じ位置に形成されている。第３突起２０２は、第２フレーム１５２の第３係合部１８５の前後方向の寸法とほぼ同じ直径を有している。また、第１読取部９３の右側面には、第３突起２０２に対して下側に間隔を空けた位置に、突起２０４が右側に突出して設けられている。突起２０４は、第３突起２０２と同じ直径を有している。
【００７５】
第２読取部９４は、その左端部に、左側に突出する第２突起２１１を備えている。
【００７６】
第２突起２１１は、図７に示されるように、第２読取部９４の左側面の下端部における前後方向のほぼ中央に形成されている。第２突起２１１は、第１フレーム１５１の第２係合部１６８の前後方向の寸法とほぼ同じ直径を有している。また、第２読取部９４の左側面には、第２突起２１１に対して上側に間隔を空けた位置に、突起２１３が左側に突出して設けられている。突起２１３は、第２突起２１１と同じ直径を有している。
【００７７】
第２読取部９４は、その右端部に、右側に突出する第４突起２１２を備えている。
【００７８】
第４突起２１２は、図８に示されるように、第２読取部９４の右側面において、第２突起２１１と前後方向および上下方向に同じ位置に形成されている。第４突起２１２は、第２フレーム１５２の第４係合部１８８の前後方向の寸法とほぼ同じ直径を有している。また、第２読取部９４の右側面には、第４突起２１２に対して上側に間隔を空けた位置に、突起２１４が右側に突出して設けられている。突起２１４は、第４突起２１２と同じ直径を有している。
【００７９】
画像読取装置１の製造時には、まず、第１ホルダ６１に、図４に示される第１読取部９３、搬送駆動ローラ９６に挿通された駆動軸１０１および排出駆動ローラ９８に挿通された駆動軸１０９などが組み付けられる。また、第２ホルダ６２に、図４に示される第２読取部９４、搬送従動ローラ９７の従動軸１２１および排出従動ローラ９９の従動軸１３１などが組み付けられる。
【００８０】
次に、第１フレーム１５１が第１ホルダ６１の左側に配置される。そして、第１読取部９３の第１突起２０１および突起２０３がそれぞれ第１フレーム１５１の第１係合部１６５および凹部１６７と上下方向および前後方向の位置が一致するように、第１ホルダ６１と第１フレーム１５１の位置関係が調整される。その後、第１ホルダ６１と第１フレーム１５１とが左右方向に相対的に近づけられる。これにより、第１読取部９３の第１突起２０１および突起２０３がそれぞれ第１フレーム１５１の第１係合部１６５および凹部１６７に挿入される。
【００８１】
次いで、第２フレーム１５２が第１ホルダ６１の右側に配置される。そして、第１読取部９３の第３突起２０２および突起２０４がそれぞれ第２フレーム１５２の第３係合部１８５および凹部１８７と上下方向および前後方向の位置が一致するように、第１ホルダ６１と第２フレーム１５２の位置関係が調整される。その後、第１ホルダ６１と第２フレーム１５２とが左右方向に相対的に近づけられる。これにより、第１読取部９３の第３突起２０２および突起２０４がそれぞれ第２フレーム１５２の第３係合部１８５および凹部１８７に挿入される。
【００８２】
その後、第２ホルダ６２が第１ホルダ６１の上側に配置される。そして、第２ホルダ６２が第１フレーム１５１と第２フレーム１５２との間に差し入れられる。このとき、第２読取部９４の第２突起２１１および突起２１３が第１フレーム１５１の第２係合部１６８に上側から差し込まれる。また、第２読取部９４の第４突起２１２および突起２１４が第２フレーム１５２の第４係合部１８８に上側から差し込まれる。
【００８３】
＜作用効果＞
【００８４】
以上のように、移動可能に設けられた第２読取部９４が第１読取部９３よりも前側に位置するので、シートＳが第１読取部９３に差し掛かるまでに、第２読取部９４およびシートＳの動きを安定させることができる。そのため、第２読取部９４およびシートＳの動きが安定した状態で、第１読取部９３によるシートＳの画像の読み取りを行うことができる。その結果、第１読取部９３により、シートＳの画像を良好に読み取ることができる。
【００８５】
第２読取部９４は、上下方向において第１読取部９３と重なっている。
【００８６】
この構成によれば、前後方向において筐体を小型化することができる。
【００８７】
第２読取部９４は、第１読取部９３よりも上側に位置している。
【００８８】
この構成によれば、第２読取部９４により、シートＳの上面の画像を読み取ることができる。また、第１読取部９３により、シートＳの下面の画像を読み取ることができる。
【００８９】
第２読取部９４は、搬送駆動ローラ９６、搬送従動ローラ９７、排出駆動ローラ９８および排出従動ローラ９９によって搬送されるシートＳに対面するように構成された第２読取面１２７を備え、第２読取面１２７は、その前端が後端よりも上側に位置している。
【００９０】
この構成によれば、第２読取部９４の第２読取面１２７の前端が後端よりも上側に位置している。これにより、搬送路１４１を搬送されるシートＳの先端を第２読取面１２７に当接させることができる。そのため、第２読取面１２７と突出部１２８との間に隙間が生じていても、シートＳの先端がその隙間に入ることを抑制できる。よって、シートＳを良好に搬送することができる。
【００９１】
また、第２読取部９４の第２読取面１２７の前端が後端よりも上側に位置しているので、第２読取部９４と第２上保持部８２の前壁部８４との間で、前壁部８４の下端部よりも第２読取部９４の前端部の下端が下側に位置する、いわゆる逆段差が生じることを抑制できる。そのため、搬送路１４１を搬送されるシートＳの先端が第２読取部９４に差し掛かるときに、シートＳの先端が第２読取部９４に引っかかることを抑制できる。よって、シートＳを第２読取面１２７上に良好に搬送することができる。
【００９２】
第２読取部９４は、第２読取面１２７にシートＳが当接することにより、第１読取部９３に対し離間する方向に移動するように構成されている。
【００９３】
この構成によれば、シートＳの厚さによっては、シートＳの先端が第２読取面１２７に当接した後、シートＳから第２読取面１２７に加わる力により、第２読取部９４を第１読取部９３から離間させることができる。そのため、シートＳの厚さが大きくても、そのシートＳを良好に搬送することができる。
【００９４】
第２読取部９４は、その前端部に、前側ほど第１読取部９３に対し離間するように傾斜した傾斜面１２９を備えている。
【００９５】
この構成によれば、シートＳの先端が傾斜面１２９に当接した場合、シートＳの搬送に伴って、シートＳの先端が傾斜面１２９上を摺動する。その結果、シートＳの先端を下側に移動させて、そのシートＳの先端を第２読取部９４上に良好に導くことができる。
【００９６】
画像読取装置１は、搬送路１４１を挟んで第２読取部９４と反対側で第２読取部９４と対向し、かつ、第１読取部９３よりも前側に位置し、前後方向に延びる延部９０を備えている。
【００９７】
また、画像読取装置１は、搬送駆動ローラ９６を保持する第１下保持部７１を備え、延部９０は、第１下保持部７１の前面から第１読取部９３まで延設されている。
【００９８】
この構成によれば、第１下保持部７１の前シュート７４の上面７５から搬送されるシートＳの先端が第１読取部９３よりも下側に移動することを抑制できる。その結果、シートＳの先端が第１読取部９３に引っかかることを抑制できる。
【００９９】
画像読取装置１は、第２読取部９４を下側に付勢するように構成された第２付勢部１３０を備えている。
【０１００】
この構成によれば、シートＳの先端が第２読取部９４に当接した後、第２付勢部１３０の付勢力により、第２読取部９４がシートＳに付勢される。これにより、第２読取部９４をシートＳに密着させることができる。その結果、第２読取部９４により、シートＳの画像を良好に読み取ることができる。
【０１０１】
第１読取部９３による画像の読取位置ＳＰ１は、第１読取部９３において、後側に片寄っている。
【０１０２】
この構成によれば、シートＳが第１読取部９３による画像の読取位置ＳＰ１に差し掛かるまでに、第２読取部９４およびシートＳの動きを安定させることができる。第２読取部９４およびシートＳの動きが一層安定した状態で、第１読取部９３によるシートＳの画像の読み取りを行うことができる。その結果、第１読取部９３により、シートＳの画像を一層良好に読み取ることができる。
【０１０３】
また、シートＳの搬送が開始されてからシートＳの画像が第１読取部９３に読み取られるまでの時間を長くすることができる。その結果、第１読取部９３による画像の読み取りに関する制御を容易にすることができる。
【０１０４】
第２読取部９４による画像の読取位置ＳＰ２は、第２読取部９４において、後側に片寄っている。
【０１０５】
この構成によれば、シートＳが第２読取部９４による画像の読取位置ＳＰ２に差し掛かるまでに、第２読取部９４およびシートＳの動きを安定させることができる。第２読取部９４およびシートＳの動きが安定した状態で、第２読取部９４によるシートＳの画像の読み取りを行うことができる。その結果、第２読取部９４により、シートＳの画像を良好に読み取ることができる。
【０１０６】
また、シートＳの搬送が開始されてからシートＳの画像が第２読取部９４に読み取られるまでの時間を長くすることができる。その結果、第２読取部９４による画像の読み取りに関する制御を容易にすることができる。
【０１０７】
さらに、第２読取部９４の第２読取面１２７の前端が後端よりも上側に位置するように傾斜している場合には、第２読取部９４における画像の読取位置ＳＰ２が後側に片寄っているので、その読取位置ＳＰ２において、第２読取面１２７とシートＳの上面との間隔を第２読取部９４によって画像を良好に読み取ることができる範囲内に収めることができる。よって、第２読取部９４により、シートＳの上面の画像を一層良好に読み取ることができる。
【０１０８】
第１読取部９３および第２読取部９４は、同じ構成の密着型イメージセンサユニットである。
【０１０９】
そのため、部品の共通化により、画像読取装置１のコストを下げることができる。
【０１１０】
＜変形例＞
【０１１１】
以上、本発明の一実施形態について説明したが、本発明は、他の形態で実施することもできる。
【０１１２】
前述の実施形態では、第２読取部９４がその前側部分が後側部分よりも上側に位置するように全体が傾斜した状態で配置されていた。しかしながら、第１読取部９３の第１読取面１０６と第２読取部９４の第２読取面１２７とは、図９に示されるように、互いに平行であってもよい。このとき、第２読取面１２７とシートＳの上面との間隔を第２読取部９３によって画像を良好に読み取ることができる範囲内に収めることができる。よって、第２読取部９３により、それぞれシートＳの下面および上面の画像を良好に読み取ることができる。
【０１１３】
その他、前述の構成には、特許請求の範囲に記載された事項の範囲で種々の設計変更を施すことが可能である。
【符号の説明】
【０１１４】
１      画像読取装置
７１    第１下保持部
９０    延部
９３    第１読取部
９４    第２読取部
９６    搬送駆動ローラ
９７    搬送従動ローラ
９８    排出駆動ローラ
９９    排出従動ローラ
１２７  第２読取面
１２９  傾斜面
１３０  第２付勢部
１４１  搬送路
ＳＰ１  読取位置
ＳＰ２  読取位置
Ｓ      シート
【図１】
2014195206.tif 000003
【図２】
2014195206.tif 000004
【図３】
2014195206.tif 000005
【図４】
2014195206.tif 000006
【図５】
2014195206.tif 000007
【図６】
2014195206.tif 000008
【図７】
2014195206.tif 000009
【図８】
2014195206.tif 000010
【図９】
2014195206.tif 000011